【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
科学機器と、
データハブと、
を含むシステムであって、
前記科学機器及び前記データハブは、無線パーソナルエリアネットワーク（ＰＡＮ）接続を介してＰＡＮプロトコルに従って互いに通信するように構成され、
前記データハブは、プロセッサ及びメモリを含み、前記データハブのプロセッサは、前記データハブのメモリに記憶された複数の命令を実行するように構成され、前記複数の命令は、前記データハブのプロセッサによって実行されると、前記データハブに、前記無線ＰＡＮ接続を介してコマンドを前記科学機器に無線で送信させるように構成され、前記コマンドは、前記科学機器の操作の態様を制御するように構成され、
前記科学機器は、前記データハブの指示の下、科学的データを取得するように構成され、前記科学機器は、プロセッサ及びメモリを含み、前記科学機器のプロセッサは、前記科学機器のメモリに記憶された複数の命令を実行するように構成され、前記複数の命令は、
前記データハブによって前記無線ＰＡＮ接続を介して無線で送信された前記コマンドを受信し、
前記受信したコマンドに従って、前記科学機器を制御し、
前記受信したコマンドに応答して、科学的データを生成させ、
受信した科学的データについてのメタデータを生成させ、前記メタデータは前記科学的データのための種類を示し、
前記無線ＰＡＮ接続を介して前記受信した科学的データを前記データハブに無線で送信させ、
るように構成され、
前記データハブの命令は、前記データハブのプロセッサによって実行されると、前記データハブに
前記科学機器によって前記無線ＰＡＮ接続を介して無線で送信された前記科学的データとメタデータとを受信させ、
前記送信されたメタデータを分析して、前記送信された科学的データの前記科学的データの種類を決定させ、
前記決定された科学的データの種類に基づいて、前記送信された科学的データの目的位置を決定させ、前記決定された目的位置は前記科学機器から離れており、
前記送信された科学的データと前記送信されたメタデータとを、ネットワークを介して前記決定された離れた目的位置に通信させるようにさらに構成されている、
システム。
【請求項２】
前記決定された目的位置に関連付けられた分析サーバであって、プロセッサ及びメモリを含む分析サーバをさらに含み、前記分析サーバのプロセッサは、前記分析サーバのメモリに記憶された複数の命令を実行するように構成され、前記複数の命令は、前記分析サーバのプロセッサによって実行されると、前記分析サーバに、（１）前記通信された科学的データを前記データハブから受信させ、（２）前記通信された科学的データを分析させるように構成されている、
請求項１に記載のシステム。
【請求項３】
前記分析サーバの命令は、前記分析サーバのプロセッサによって実行されると、前記分析サーバに、（１）前記通信された科学的データが前記科学的データに関連付けられた前記メタデータの所定のパラメータを示すか否かを決定させ、（２）前記ネットワークを介して前記データハブに要求を送信させるようにさらに構成され、前記要求は、前記所定のパラメータが前記メタデータによって示されていないと前記プロセッサが決定すると、異なる制御パラメータの下で新しい科学的データを取得するようにという前記科学機器へのコマンドの要求を含む、
請求項２に記載のシステム。
【請求項４】
前記データハブの命令は、前記データハブのプロセッサによって実行されると、前記データハブに、前記無線ＰＡＮ接続を介して前記科学機器に無線で送信されるコマンドを生成させるようにさらに構成され、前記生成されたコマンドは、前記要求に応答している、
請求項３に記載のシステム。
【請求項５】
前記科学機器は、ロボットアームを含み、前記科学機器は、前記要求に基づいた前記コマンドに応答して、前記ロボットアームを用いて試料を投入するようにさらに構成されている、
請求項４に記載のシステム。
【請求項６】
前記科学機器のプロセッサは、前記科学機器のメモリに記憶された複数の命令を実行するようにさらに構成され、前記複数の命令は、前記科学機器のプロセッサによって実行されると、前記科学機器に、前記科学機器に関する性能データ、使用データ、及び、追跡データからなるグループの要素を、前記無線ＰＡＮ接続を介して前記データハブに送信させるように構成され、
前記データハブは、前記無線ＰＡＮ接続を介して前記送信された要素を受信するようにさらに構成されている、
請求項１から５のいずれか１項に記載のシステム。
【請求項７】
前記データハブのプロセッサは、前記データハブのメモリに記憶された複数の命令を実行するようにさらに構成され、前記複数の命令は、前記データハブのプロセッサによって実行されると、前記データハブに、受信した要素に基づいて、前記科学機器に関する性能問題を診断させるように構成され、
前記データハブのプロセッサは、前記データハブのメモリに記憶された複数の命令を実行するようにさらに構成され、前記複数の命令は、前記データハブのプロセッサによって実行されると、前記データハブに、（１）前記診断された性能問題に基づいて、前記科学機器へのコマンドを生成させ、（２）前記無線ＰＡＮ接続を介して前記科学機器に前記コマンドを送信させるように構成されている、
請求項１から６のいずれか１項に記載のシステム。
【請求項８】
科学的機器をデータハブと統合する方法であって、前記方法は、
科学機器によって取得された科学的データを受信するステップと、
科学的データの種類を示すデータを含むメタデータを生成するステップと、
受信された科学的データ及び生成されたメタデータのための宛先データハブを識別するステップと、
前記科学的データ及び前記生成されたメタデータをパーソナルエリアネットワークを用いて無線接続を介して前記宛先データハブに送信するステップと、
を含み、
前記方法のステップはプロセッサによって行われる方法。
【請求項９】
前記科学機器は、フローサイトメータ、質量分析計、リアルタイムポリメラーゼ連鎖反応機器、シーケンサ、分光光度計、マイクロアレイ、遺伝子型決定機器、セルソータ、及び、マスサイトメータからなるグループの要素を含み、
前記パーソナルエリアネットワークは、Ｂｌｕｅｔｏｏｔｈ、Ｚｉｇｂｅｅ、赤外線、
近距離通信、無線ＵＳＢ、及び、ＩＥＥＥ８０２．１１からなるグループから選択された要素を含む、
請求項８に記載の方法。
【請求項１０】
前記科学的データは、ＦＣＳファイル、ＣＳＶファイル、ＣＬＲファイル、ＷＳＰファイル、及び、前記科学機器の製造業者によって設定されたプロプライエタリフォーマットからなるグループの要素を含む、
請求項８及び９のいずれか１項に記載の方法。
【請求項１１】
ディスプレイを通してユーザに提示するためのユーザインタフェースを生成することをさらに含み、
前記ユーザインタフェースは、前記宛先データハブに送信する前記科学的データを示す前記ユーザからのドラッグアンドドロップコマンドを受信する、
請求項８から１０のいずれか１項に記載の方法。
【請求項１２】
前記プロセッサが（１）要求を受信すること、及び、（２）前記受信した要求に応答して、前記科学的データと前記生成されたメタデータを前記宛先データハブに無線で送信するように無線送信機に指図することをさらに含む、
請求項８から１１のいずれか１項に記載の方法。
【請求項１３】
前記プロセッサが、前記科学的データを前記科学機器から受信すると、前記プロセッサは、前記科学的データと前記生成されたメタデータとを前記宛先データハブにリアルタイムに無線で送信するように無線送信機に指図することをさらに含む、
請求項８から１２のいずれか１項に記載の方法。
【請求項１４】
前記無線送信機が前記受信された科学的データを前記宛先データハブに無線で送信するように指図された時を示す電子署名を前記プロセッサが生成することをさらに含み、前記生成されたメタデータは、前記生成された電子署名を含む、
請求項８から１３のいずれか１項に記載の方法。
【請求項１５】
前記生成されたメタデータは、前記科学機器の種類を示すデータと、前記受信された科学的データが前記科学機器によって取得された時を示すデータと、をさらに含む、
請求項８から１４のいずれか１項に記載の方法。
【請求項１６】
データを送信するシステムであって、前記システムは、
非一時的コンピュータ可読記憶媒体に常駐の第１の複数のプロセッサ実行可能命令と、
非一時的コンピュータ可読記憶媒体に常駐の第２の複数のプロセッサ実行可能命令と、
を含み、
前記第１の複数の命令は、コンピュータのプロセッサによって実行されると、前記コンピュータに、（１）科学機器によって取得された科学的データにアクセスさせ、（２）前記アクセスされた科学的データに関するメタデータであって、前記アクセスされた科学的データの種類を示すデータを含むメタデータを生成させ、（３）前記アクセスされた科学的データと前記生成されたメタデータとを、前記第２の複数の命令を実行するように構成されたデータハブに無線で通信させるように構成され、
前記第２の複数の命令は、前記データハブのプロセッサによって実行されると、前記データハブに（１）前記通信された科学的データと前記通信されたメタデータとを無線で受信させ、（２）前記通信されたメタデータを分析して、前記通信された科学的データの前記科学的データの種類を決定させ、（３）前記決定された科学的データの種類に基づいて、前記通信された科学的データの目的位置を決定させ、（４）前記データハブのネットワークインタフェースを通して、前記決定された目的位置に前記科学的データを送信させるように構成されている、
システム。
【請求項１７】
無線送信機をさらに含み、前記無線送信機を通して、前記コンピュータは、前記アクセスされた科学的データと前記生成されたメタデータとを前記データハブに無線で通信するように構成され、
無線受信機をさらに含み、前記無線受信機を通して、前記データハブは、前記通信された科学的データと前記通信されたメタデータとを無線で受信するように構成され、
前記第１及び前記第２の複数の命令は、前記コンピュータ及び前記データハブの前記各プロセッサによって実行されると、前記コンピュータ及び前記データハブにパーソナルエリアネットワークを形成させるようにさらに構成されている、
請求項１６に記載のシステム。
【請求項１８】
科学的データを転送する装置であって、前記装置は、
プロセッサと、
前記プロセッサと通信して、前記プロセッサの指図で科学的データを取得するように構成された科学機器と、
前記プロセッサの指図で、無線でデータを送信するように構成された無線送信機と、
を含み、
前記プロセッサは、（１）前記科学機器から前記科学的データを受信し、（２）前記受信した科学的データに関するメタデータであって、前記受信した科学的データの種類を示すデータを含むメタデータを生成し、（３）前記受信した科学的データと前記生成されたメタデータの宛先データハブを識別し、（４）前記科学的データと前記生成されたメタデータとを前記宛先データハブに無線で送信するように前記無線送信機に指図するように構成されている、
装置。
【請求項１９】
科学機器を離れた目的位置と無線で統合するシステムであって、前記システムは、
非一時的コンピュータ可読記憶媒体に常駐の第１の複数のプロセッサ実行可能命令と、
非一時的コンピュータ可読記憶媒体に常駐の第２の複数のプロセッサ実行可能命令と、
を含み、
前記第１の複数の命令は、コンピュータのプロセッサによって実行されると、前記コンピュータに、（１）科学機器によって取得された科学的データにアクセスさせ、（２）前記アクセスされた科学的データに関するメタデータであって、前記アクセスされた科学的データの種類を示すデータを含むメタデータを生成させ、（３）前記アクセスされた科学的データと前記生成されたメタデータとを、前記第２の複数の命令を実行するように構成されたデータハブに無線で通信させるように構成され、
前記第２の複数の命令は、前記データハブのプロセッサによって実行されると、前記データハブに（１）前記通信された科学的データと前記通信されたメタデータとを無線で受信させ、（２）前記通信されたメタデータを分析して、前記通信された科学的データの前記科学的データの種類を決定させ、（３）前記決定された科学的データの種類に基づいて、前記通信された科学的データの目的位置を決定させ、前記決定された目的位置は前記科学機器から離れており、（４）前記データハブのネットワークインタフェースを通して、前記決定された離れた目的位置に前記科学的データを送信させるように構成されている、
システム。
【請求項２０】
無線送信機をさらに含み、前記無線送信機を通して、前記コンピュータは、前記アクセスされた科学的データと前記生成されたメタデータとを前記データハブに無線で通信するように構成され、
無線受信機をさらに含み、前記無線受信機を通して、前記データハブは、前記通信された科学的データと前記通信されたメタデータとを無線で受信するように構成され、
前記第１及び前記第２の複数の命令は、前記コンピュータ及び前記データハブの前記各プロセッサによって実行されると、前記コンピュータ及び前記データハブにパーソナルエリアネットワークを形成させるようにさらに構成されている、
請求項１９に記載のシステム。